(57)【要約】【課題】通信装置のある特定の部位が異常であるとき、警報を発することができる通信装置を提供する。【解決手段】制御部９は、信号処理部８からの調整指令に基づいて、信号処理部８が異常を判定する。制御部８は、信号処理部８から第２期間にわたって調整指令が与えられないとき、第３期間にわたって連続的に調整指令が与えられるとき、および指令不足が生じたとき、信号処理部８が異常であると判定し、警報がを発せられる。これによって操作者は、信号処理部８に異常があることを認識することができる。したがって操作者は、信号処理部８の異常を取除くことによって、通信装置を短時間で修復することができる。【選択図】      図１
2005027188.tif 000002
【特許請求の範囲】
【請求項１】
他の通信装置との相対関係に応じた通信形態で、他の通信装置との間で通信する通信装置において、
予め定める主情報および通信形態を調整するためのリセット情報を含む情報群を送信する送信手段と、
前記情報群を受信する受信手段と、
主情報を入出力する入出力手段と、
予め定める第１期間毎に通信形態の調整を指令する調整指令を生成するとともに、受信手段によって受信されるリセット情報に基づいて調整指令を生成する指令手段と、
入出力手段によって入力される主情報を送信するように送信手段を制御し、指令手段からの調整指令に基づいて通信形態を調整するとともにリセット情報を送信するように送信手段を制御し、受信した主情報を出力するように入出力手段を制御する制御手段であって、指令手段からの調整指令に基づいて、指令手段が異常であるか否かを判定し、異常であると判定すると、警報を発するように入出力手段を制御する制御手段とを含むことを特徴とする通信装置。
【請求項２】
制御手段は、前記第１期間よりも大きい第２期間にわたって指令手段から調整指令が与えられないとき、指令手段が異常であると判定することを特徴とする請求項１記載の通信装置。
【請求項３】
制御手段は、予め定める第３期間にわたって指令手段から連続的に調整指令が与えられるとき、指令手段が異常であると判定することを特徴とする請求項１または２記載の通信装置。
【請求項４】
制御手段には、受信手段でリセット情報が受信されたとき、受信手段から受信通知が与えられ、この受信通知が与えられときに指令手段から調整指令が与えられない指令不足が生じたとき、指令手段が異常であると判定することを特徴とする請求項１〜３のいずれかに記載の通信装置。
【請求項５】
制御手段は、予め定める設定回数の指令不足が生じたとき、指令手段が異常であると判定することを特徴とする請求項４記載の通信装置。
【発明の詳細な説明】
【０００１】
【発明の属する技術分野】
本発明は、他の通信装置との相対関係に応じた通信形態で、他の通信装置との間で通信する通信装置に関する。
【０００２】
【従来の技術】
従来の技術の無線基地局では、無線エリアを確保するために、無線機本体を高地に設置する。無線機本体の操作部は、操作者が容易に操作できる場所に分離して設置する。操作部と無線機本体とは、専用回線を用いて電気的に接続される。無線機本体は、無線機本体が異常となった場合、異常となったことを示す情報を専用回線を介して操作部に与える。操作部は、与えられた情報を操作者に報知する。これによって操作者は、無線機本体が異常であることを認識する（たとえば特許文献１参照）。
【０００３】
【特許文献１】
特開平１０−４３８２号公報
【０００４】
【発明が解決しようとする課題】
従来の技術の無線基地局では、無線機本体が異常であることを操作者は認識することができるが、異常である部分を認識することができない。操作者は、異常である部分を特定することができないので、無線機本体を復旧するために長時間必要である。
【０００５】
したがって本発明の目的は、通信装置のある特定の部位が異常であるとき、警報を発することができる通信装置を提供することである。
【０００６】
【課題を解決するための手段】
本発明は、他の通信装置との相対関係に応じた通信形態で、他の通信装置との間で通信する通信装置において、
予め定める主情報および通信形態を調整するためのリセット情報を含む情報群を送信する送信手段と、
前記情報群を受信する受信手段と、
主情報を入出力する入出力手段と、
予め定める第１期間毎に通信形態の調整を指令する調整指令を生成するとともに、受信手段によって受信されるリセット情報に基づいて調整指令を生成する指令手段と、
入出力手段によって入力される主情報を送信するように送信手段を制御し、指令手段からの調整指令に基づいて通信形態を調整するとともにリセット情報を送信するように送信手段を制御し、受信した主情報を出力するように入出力手段を制御する制御手段であって、指令手段からの調整指令に基づいて、指令手段が異常であるか否かを判定し、異常であると判定すると、警報を発するように入出力手段を制御する制御手段とを含むことを特徴とする通信装置である。
【０００７】
本発明に従えば、指令手段からの調整指令に基づいて通信形態を調整するので、他の通信装置との相対関係に応じた通信形態に調節することができる。また第１期間毎にリセット情報を送信するように送信手段を制御するので、他の通信装置との相対関係に応じた通信形態に調節することができる。指令手段からの調整指令に基づいて、指令手段が異常であると判定すると、警報を発せられる。これによって操作者は、指令手段に異常があることを認識することができる。したがって操作者は、指令手段の異常を取除くことによって、通信装置を短時間で修復することができる。
【０００８】
また本発明は、制御手段は、前記第１期間よりも大きい第２期間にわたって指令手段から調整指令が与えられないとき、指令手段が異常であると判定することを特徴とする。
【０００９】
本発明に従えば、前記第１期間よりも大きい第２期間にわたって指令手段から調整指令が与えられないとき、指令手段が異常であると判定する。指令手段は、第１期間毎に調整指令を制御手段に与えるので、第２期間にわたって指令手段から調整指令が与えられないとき、なんらかの異常が発生している可能性がある。したがって第２期間にわたって指令手段から調整指令が与えられないとき、指令手段が異常であると判定する。これによって操作者は、指令手段の異常を認識することができる。
【００１０】
また本発明は、制御手段は、予め定める第３期間にわたって指令手段から連続的に調整指令が与えられるとき、指令手段が異常であると判定することを特徴とする。
【００１１】
本発明に従えば、予め定める第３期間にわたって指令手段から連続的に調整指令が与えられるとき、指令手段が異常であると判定する。指令手段から連続的に調整指令が与えられる期間は、短期間であるので、長期間であると指令手段になんらかの異常が発生している可能性がある。したがって予め定める第３期間にわたって連続的に調整指令が与えられるとき、指令手段が異常であると判定する。これによって操作者は、指令手段の異常を認識することができる。
【００１２】
また本発明は、制御手段には、受信手段でリセット情報が受信されたとき、受信手段から受信通知が与えられ、この受信通知が与えられときに指令手段から調整指令が与えられない指令不足が生じたとき、指令手段が異常であると判定することを特徴とする。
【００１３】
本発明に従えば、受信手段でリセット情報が受信されたとき、受信手段から受信通知が与えられ、この受信通知が与えられときに指令不足が生じたとき、指令手段が異常であると判定する。指令手段は、受信手段によって受信されるリセット情報に基づいて調整指令を生成する。したがって受信手段でリセット情報が受信されたとき、制御手段にリセット情報に基づく調整指令が与えられないと、指令手段になんらかの異常が発生している可能性がある。したがって指令不足が生じたとき、指令手段が異常であると判定する。これによって操作者は、指令手段の異常を認識することができる。
【００１４】
また本発明は、制御手段は、予め定める設定回数の指令不足が生じたとき、指令手段が異常であると判定することを特徴とする。
【００１５】
本発明に従えば、予め定める設定回数の指令不足が生じたとき、指令手段が異常であると判定する。これによって指令手段になんらかの異常で、一時的に指令不足が生じたとき、異常であると判定されない。設定回数の指令不足が生じたとき、指令手段に異常が発生しているの可能性が極めて高い。したがって設定回数の指令不足が生じたとき、指令手段が異常であると判定されるので、操作者は、指令手段の異常を認識することができる。
【００１６】
【発明の実施の形態】
図１は、本発明の実施の一形態の通信装置１の電気的構成を示すブロック図である。通信装置１は、通信装置本体２、操作卓３およびホスト端末４を含んで構成される。通信装置本体２は、送信手段５、受信手段６、操作部７、信号処理部８および制御部９を含んで構成される。通信装置１は、たとえば基地局無線機であって、他の通信装置、たとえばタクシーなどの移動局との相対関係に応じた通信形態で、他の通信装置との間で通信する。通信装置本体２は、他の通信装置との通信形態を確保するできる場所、たとえば高地に設置する。操作卓３およびホスト端末４は、操作者が容易に操作できる場所に分離して設置する。
【００１７】
送信手段５は、送信機１０および送信用アンテナ１１を含んで構成される。送信機１０は、予め定める主情報および通信形態を調整するためのリセット情報を含む情報群を送信するように、前記情報群を送信用アンテナ１１に与える。主情報は、たとえば音声情報であり、リセット情報は、たとえば返信情報および設定情報などである。返信情報は、通信装置１が他の通信装置から情報群を受信した場合、受信できたことを示すために、送信元の他の通信装置に送信する情報である。設定情報は、通信形態は、たとえば電波の周波数、無線チャネルおよび電波の強度などを他の通信装置との相対関係に基づく情報である。送信用アンテナ１１は、送信機１０と電気的に接続され、送信機１０から与えたれた情報群を他の通信装置に送信する。
【００１８】
受信手段６は、受信機１２および受信用アンテナ１３を含んで構成される。受信用アンテナ１３は、他の通信装置によって与えられる情報群を、受信機１２に与える。受信機１２は、受信用アンテナ１３から与えられた情報群を受信する。受信機１２は、受信した情報群の内、主情報は、制御部９に与え、リセット情報は、信号処理部８に与える。
【００１９】
操作部７は、入出力手段であって、操作卓３と電気的に接続される。操作部７は、制御部９および操作卓３から与えられる主情報を変換、たとえば増幅およびミュートなどを行い、操作卓３および制御部９に与える。操作卓３は、入出力手段であって、主情報を入出力する。操作卓３は、音出力手段、たとえばスピーカなど、および音入力手段、たとえばマイクなどを備える。操作者は、操作卓３を用いて音声を入力し、入力した音声に基づく情報を操作部７に与える。また操作卓３は、操作部７から与えられた情報を、音声を用いて出力する。操作部７は、操作卓３から主情報が与えられると、主情報を送信するように信号処理部８にリセット情報を与える。
【００２０】
信号処理部８およびホスト端末４は、指令手段であって、信号処理部８とホスト端末４とは電気的に接続される。信号処理部８は、受信機１２から与えられるリセット情報をホスト端末４に与える。ホスト端末４は、与えられたリセット情報に基づいて、調整指令を生成する。またホスト端末４は、予め定める第１期間、たとえば３０秒程度、毎に通信形態の調整を指令する調整指令を生成する。ホスト端末４は、生成した調整指令を、信号処理部８に与える。信号処理部は、与えられた調整指令を制御部９に与える。またホスト端末４は、信号処理部８から与えられる情報が、異常であると判定すると、操作者に通信装置本体２が異常であることを報知する。
【００２１】
制御部９は、操作卓３によって入力される主情報を送信するように送信手段５を制御する。また制御部９は、信号処理部８からの調整指令に基づいて通信形態を調整するとともにリセット情報を送信するように送信手段５を制御する。また制御部９は、受信手段６が受信した主情報を出力するように操作部７を制御する。制御部９は、信号処理部８からの調整指令に基づいて、信号処理部８が異常であるか否かを判定し、異常であると判定すると、警報を発するように操作部７を制御する。
【００２２】
したがって通信装置１は、信号処理部８からの調整指令に基づいて通信形態を調整するので、他の通信装置との相対関係に応じた通信形態に調節することができる。また制御部９は、第１期間毎にリセット情報を送信するように送信手段５を制御するので、他の通信装置との相対関係に応じた通信形態に調節することができる。信号処理部８からの調整指令に基づいて、信号処理部８が異常であると判定すると、警報を発せられる。これによって操作者は、信号処理部８に異常があることを認識することができる。信号処理部８は、送信手段５、受信手段６、操作部７、ホスト端末４および制御部９に接続されているので、信号処理部８にかかる負荷が大きくなる。したがって信号処理部８は、他の部位と比較して、異常となる可能性が大きい。通信装置１は、信号処理部８の異常を検出することができるので、通信装置１の異常を早期に検出することができる。したがって操作者は、信号処理部８の異常を取除くことによって、通信装置１を短時間で修復することができる。
【００２３】
図２は、本実施の形態の通信装置１において、第１判定手順を示すフローチャートであって、制御部９の一連の処理の流れを示すフローチャートである。ステップａ０にて、本フローチャートが開始され、ステップａ１に進む。ステップａ１では、制御部９は、信号処理部８から通信形態の調整を指令する調整指令が与えられるか否かを判断する。換言すると、制御部９は、信号処理部８から調整指令を送信する指令であるプレストーク（Ｐｒｅｓｓ  Ｔｏ  Ｔａｌｋ略称：ＰＴＴ）があるか否かを判断する。信号処理部８から調整指令のＰＴＴがある場合、ステップａ６に進み、調整指令のＰＴＴがない場合、ステップａ２に進む。
【００２４】
ステップａ２では、制御部９は、時間ｉを１増加させ、ステップａ３に進む。時間ｉは、信号処理部８から制御部９に調整指令のＰＴＴがない時間に基づく値である。ステップａ３では、制御部９は、時間ｉが第２期間Ｘと等しいか否かを判断する。時間ｉが第２期間と等しい場合、ステップａ４に進み、時間ｉが第２期間と異なる場合、ステップａ５に進む。第２期間Ｘは、第１期間よりも長い期間、たとえば６０秒程度に基づく値である。
【００２５】
ステップａ５では、ステップａ１と同様に、制御部９は、信号処理部８から調整指令のＰＴＴがあるか否かを判断する。信号処理部８から調整指令のＰＴＴがある場合、ステップａ６に進み、調整指令のＰＴＴがない場合、ステップａ２に戻る。ステップａ４では、制御部９は、警報を発するように操作部７を制御し、ステップａ７に進む。ステップａ６では、時間ｉに初期値０を代入し、ステップａ７に進む。ステップａ７にて本フローチャートを終了する。
【００２６】
このように第１判定手順では、第１期間よりも大きい第２期間にわたって信号処理部８から調整指令が与えられないとき、信号処理部８が異常であると判定する。信号処理部８は、第１期間毎に調整指令を制御部９に与えるので、第２期間にわたって信号処理部８から調整指令が与えられないとき、なんらかの異常が発生している可能性がある。したがって第２期間にわたって信号処理部８から調整指令が与えられないとき、制御部９は信号処理部８が異常であると判定する。これによって操作者は、信号処理部８の異常を認識することができる。
【００２７】
図３は、通信装置１において、第２判定手順を示すフローチャートであって、制御部９の一連の処理の流れを示すフローチャートである。ステップｂ０にて、本フローチャートが開始され、ステップｂ１に進む。ステップｂ１では、制御部９は、信号処理部８から調整指令を送信する指令であるＰＴＴがあるか否かを判断する。信号処理部８から調整指令のＰＴＴがある場合、ステップｂ２に進み、調整指令のＰＴＴがない場合、ステップｂ６に進む。
【００２８】
ステップｂ２では、制御部９は、時間ｊを１増加させ、ステップｂ３に進む。時間ｊは、信号処理部８から制御部９に調整指令のＰＴＴが連続している時間に基づく値である。ステップｂ３では、制御部９は、時間ｊが第３期間Ｙと等しいか否かがを判断する。時間ｊが第３期間と等しい場合、ステップｂ４に進み、時間ｊが第３期間と異なる場合、ステップｂ５に進む。
【００２９】
ステップｂ５では、ステップｂ１と同様に、制御部９は、信号処理部８から調整指令のＰＴＴがあるか否かを判断する。信号処理部８から調整指令のＰＴＴがある場合、ステップｂ２に戻り、調整指令のＰＴＴがない場合、ステップｂ６に進む。ステップｂ４では、制御部９は、警報を発するように操作部７を制御し、ステップｂ７に進む。ステップｂ６では、時間ｊに初期値０を代入し、ステップｂ７に進む。ステップｂ７にて本フローチャートを終了する。
【００３０】
このように第２判定手順では、予め定める第３期間にわたって信号処理部８から連続的に調整指令が与えられるとき、信号処理部８が異常であると判定する。信号処理部８から連続的に調整指令が与えられる期間は、短期間であるので、長期間であると信号処理部８になんらかの異常が発生している可能性がある。したがって予め定める第３期間、たとえば６０秒程度、にわたって連続的に調整指令が与えられるとき、信号処理部８が異常であると判定する。これによって操作者は、信号処理部８の異常を認識することができる。
【００３１】
図４は、通信装置１において、第３判定手順を示すフローチャートであって、制御部９の一連の処理の流れを示すフローチャートである。ステップｃ０にて、本フローチャートが開始され、ステップｃ１に進む。ステップｃ１にて、受信手段６がリセット情報、たとえばデータコード情報などを受信し、ステップｃ２に進む。受信機１２は、リセット情報を受信すると、受信したことを示す受信通知を制御部９に与える。
【００３２】
ステップｃ２では、制御部９は、信号処理部８から受信したリセット情報に基づく調整指令、たとえば返信情報を送信する指令であるＰＴＴがあるか否かを判断する。信号処理部８から調整指令のＰＴＴがある場合、ステップｃ７に進み、調整指令のＰＴＴがない場合、ステップｃ３に進む。
【００３３】
ステップｃ３では、制御部９は、時間ｋを１増加させ、ステップｃ４に進む。時間ｋは、信号処理部８から制御部９に調整指令のＰＴＴがない時間に基づく値である。ステップｃ４では、制御部９は、時間ｋが第４期間Ｚと等しいか否かを判断する。時間ｋが第４期間Ｚと等しい場合、ステップｃ５に進み、時間ｋが第４期間Ｚと異なる場合、ステップｃ６に進む。
【００３４】
ステップｃ６では、ステップｃ２と同様に、制御部９は、信号処理部８から調整指令のＰＴＴがあるか否かを判断する。信号処理部８から調整指令のＰＴＴがある場合、ステップｃ７に進み、調整指令のＰＴＴがない場合、ステップｃ３に戻る。ステップｃ５では、制御部９は、警報を発するように操作部７を制御し、ステップｃ８に進む。ステップｃ７では、時間ｋに初期値０を代入し、ステップｃ７に進む。ステップｃ７にて本フローチャートを終了する。
【００３５】
このように第３判定手順では、受信機１２でリセット情報が受信されたとき、受信機１２から受信通知が制御部９に与えられ、この受信通知が与えられたときに指令不足が生じたとき、信号処理部８が異常であると判定する。換言すると、制御部９は、受信機１２から受信通知が与えられてから第４期間、たとえば３０秒程度、信号処理部８から調整指令が与えられない場合、信号処理部８が異常であると判定する。ホスト端末４は、受信機１２によって受信されるリセット情報に基づいて調整指令を生成し、信号処理部８に与える。したがって受信機１２でリセット情報が受信されたとき、制御部９にリセット情報に基づく調整指令が与えられないと、信号処理部８になんらかの異常が発生している可能性がある。したがって指令不足が生じたとき、信号処理部８が異常であると判定する。これによって操作者は、信号処理部８の異常を認識することができる。
【００３６】
図５は、通信装置１において、第４判定手順を示すフローチャートであって、制御部９の一連の処理の流れを示すフローチャートである。ステップｄ０にて、本フローチャートが開始され、ステップｄ１に進む。ステップｄ１にて、制御部９は、計時を開始し、ステップｄ２に進む。ステップｄ２にて、受信手段６がリセット情報、たとえばデータコード情報などを受信し、ステップｄ３に進む。受信機１２は、リセット情報を受信すると、受信したことを示す受信通知を制御部９に与える。
【００３７】
ステップｄ３にて、制御部９は、時間ｋに初期値０を代入し。ステップｄ４に進む。ステップｄ４では、制御部９は、信号処理部８から受信したリセット情報に基づく調整指令、たとえば返信情報を送信する指令であるＰＴＴがあるか否かを判断する。信号処理部８から調整指令のＰＴＴがある場合、ステップｄ２に戻り、調整指令のＰＴＴがない場合、ステップｄ５に進む。
【００３８】
ステップｄ５では、制御部９は、時間ｋを１増加させ、ステップｄ６に進む。時間ｋは、信号処理部８から制御部９に調整指令のＰＴＴがない時間に基づく値である。ステップｄ６では、制御部９は、時間ｋが第４期間Ｚと等しいか否かを判断する。時間ｋが第４期間Ｚと等しい場合、ステップｄ７に進み、時間ｋが第４期間Ｚと異なる場合、ステップｄ８に進む。
【００３９】
ステップｄ８では、ステップｄ４と同様に、制御部９は、信号処理部８から調整指令のＰＴＴがあるか否かを判断する。信号処理部８から調整指令のＰＴＴがある場合、ステップｄ２に戻り、調整指令のＰＴＴがない場合、ステップｄ５に戻る。
【００４０】
ステップｄ７では、制御部９は、回数ｍを１増加させ、ステップｄ９に進む。回数ｍは、指令不足が生じた回数に基づく値である。ステップｄ９では、制御部９は、回数ｍが設定回数Ｗと等しいか否かを判断する。回数ｍが設定回数Ｗと等しい場合、ステップｄ１０に進み、回数ｍが設定回数Ｗと異なる場合、ステップｄ２に戻る。
【００４１】
ステップｄ１０では、制御部９は、時間ｔと設定時間Ｔとの大小関係を比較する。時間ｔが設定時間Ｔよりも大きい場合、ステップｄ１２に進み、時間ｔが設定時間Ｔよりも大きくない場合、ステップｄ１１に進む。ステップｄ１１では、制御部９は、警報を発するように操作部７を制御し、ステップｄ１３に進む。ステップｄ１２では、時間ｍに初期値０を代入し、ステップｄ１３に進む。ステップｄ１３にて本フローチャートを終了する。
【００４２】
このように第４判定手順では、予め定める設定回数Ｗの指令不足が生じたとき、信号処理部８が異常であると判定する。これによって信号処理部８になんらかの異常で、一時的に指令不足が生じたとき、異常であると判定されない。設定回数Ｗの指令不足が、予め定め設定時間、たとえば２４時間内に生じたとき、信号処理部８に異常が発生しているの可能性が極めて高い。したがって設定回数Ｗの指令不足が生じたとき、信号処理部８が異常であると判定されるので、操作者は、信号処理部８の異常を認識することができる。
【００４３】
本実施の形態では、信号処理部８の異常を検出しているが、同様の方法で、ホスト端末の異常を検出してもよい。
【００４４】
また本実施の形態では、通信装置１と他の通信装置との通信状態に基づいて、信号処理部８の異常を検出することができる。したがって異常を検出するための特別な作業をすること必要がなく、利便性を向上することができる。また第１〜第３判定手順または第１、第２および第４判定手順を同時に用いて、異常の有無を判定することができる。これによってより確実に信号処理部８の異常を検出することができる。また本実施の形態の通信装置１は、従来の技術の通信装置と大きく構成を変更することなく、制御部９に判定プログラムを組込むことによって実現することができる。したがって容易に本実施の形態の通信装置１を実現することができる。
【００４５】
またホスト端末４が通信装置１が異常であると判定した場合と、制御部９が信号処理部８が異常であると判定した場合とで、操作者に報知する形態を変えるように構成してもよい。これによって操作者は、信号処理部８が異常であるのか、信号処理部８を除く残余の部位が異常であるかを認識することができる。
【００４６】
【発明の効果】
以上のように本発明によれば、操作者は、指令手段に異常があることを認識することができる。したがって操作者は、指令手段の異常を取除くことによって、通信装置を短時間で修復することができる。
【００４７】
また本発明によれば、第２期間にわたって指令手段から調整指令が与えられないとき、指令手段が異常であると判定する。これによって操作者は、指令手段の異常を認識することができる。
【００４８】
また本発明によれば、第３期間にわたって連続的に調整指令が与えられるとき、指令手段が異常であると判定する。これによって操作者は、指令手段の異常を認識することができる。
【００４９】
また本発明によれば、指令不足が生じたとき、指令手段が異常であると判定する。これによって操作者は、指令手段の異常を認識することができる。
【００５０】
また本発明によれば、設定回数の指令不足が生じたとき、指令手段が異常であると判定されるので、操作者は、指令手段の異常を認識することができる。
【図面の簡単な説明】
【図１】本発明の実施の一形態の通信装置１の電気的構成を示すブロック図である。
【図２】本実施の形態の通信装置１において、第１判定手順を示すフローチャートであって、制御部９の一連の処理の流れを示すフローチャートである。
【図３】本実施の形態の通信装置１において、第１判定手順を示すフローチャートであって、制御部９の一連の処理の流れを示すフローチャートである。
【図４】本実施の形態の通信装置１において、第１判定手順を示すフローチャートであって、制御部９の一連の処理の流れを示すフローチャートである。
【図５】本実施の形態の通信装置１において、第１判定手順を示すフローチャートであって、制御部９の一連の処理の流れを示すフローチャートである。
【符号の説明】
１  通信装置
３  操作卓
４  ホスト端末
５  送信手段
６  受信手段
７  操作部
８  信号処理部
９  制御部
【図１】
2005027188.tif 000003
【図２】
2005027188.tif 000004
【図３】
2005027188.tif 000005
【図４】
2005027188.tif 000006
【図５】
2005027188.tif 000007